(57)【要約】【課題】  操作手段へのソフトウェアのダウンロードを容易に行うことができる、制御対象機器およびその監視制御システムを提供する。【解決手段】  制御対象機器２は、操作手段４によって遠隔操作可能な制御対象機器２である。制御対象機器２は、受信部６と、送信部７とを備えている。受信部６は、配信要求情報を受信する。配信要求情報は、操作手段４から送信される配信要求に関する。送信部７は、受信部６が配信要求情報を受信したときに、制御対象機器２を操作するためのソフトウェアを操作手段４へ送信する。【選択図】      図１
2006340060.tif 000002
【特許請求の範囲】
【請求項１】
操作手段（４）によって遠隔操作可能な制御対象機器（２）であって、
前記操作手段（４）から送信される配信要求に関する配信要求情報を受信する受信部（６）と、
前記受信部（６）が前記配信要求情報を受信したときに、前記制御対象機器（２）を操作するためのソフトウェアを前記操作手段（４）へ送信する送信部（７）と、
を備えている、制御対象機器（２）。
【請求項２】
前記ソフトウェアを記憶する記憶部（５１）をさらに備えている、
請求項１に記載の制御対象機器（２）。
【請求項３】
外部の送信元から更新後の前記ソフトウェアを受信するソフトウェア受信部をさらに備えている、
請求項２に記載の制御対象機器（２）。
【請求項４】
前記ソフトウェアが更新されていることを前記操作手段（４）へ通知するソフトウェア更新通知手段をさらに備えている、
請求項１から３のいずれかに記載の制御対象機器（２）。
【請求項５】
更新後の前記ソフトウェアを前記操作手段（４）へ自動的に送信するソフトウェア自動送信手段をさらに備えている、
請求項１から４のいずれかに記載の制御対象機器（２）。
【請求項６】
操作手段（４）によって遠隔操作可能な制御対象機器（２）であって、
前記操作手段（４）から送信される配信要求に関する配信要求情報を受信する受信部（６）と、
前記受信部（６）が前記配信要求情報を受信したときに、前記制御対象機器（２）を操作するためのソフトウェアが保存されているサーバ（３０）のアドレスを前記操作手段（４）へ送信する送信部（７）と、
を備えている、制御対象機器（２）。
【請求項７】
前記アドレスを記憶する記憶部（３９）をさらに備えている、
請求項６に記載の制御対象機器（２）。
【請求項８】
前記サーバ（３０）から更新後の前記アドレスを受信するアドレス受信部をさらに備えている、
請求項７に記載の制御対象機器（２）。
【請求項９】
前記アドレスが更新されていることを前記操作手段（４）へ通知するアドレス更新通知手段をさらに備えている、
請求項６から８のいずれかに記載の制御対象機器（２）。
【請求項１０】
更新後の前記アドレスを前記操作手段（４）へ自動的に送信するアドレス自動送信手段をさらに備えている、
請求項６から９のいずれかに記載の制御対象機器（２）。
【請求項１１】
１つまたは複数の居室に配置された、請求項１に記載の制御対象機器（２）と、
１つまたは複数の前記制御対象機器（２）に接続され、前記制御対象機器（２）を監視および制御するコントローラ（３）と、
を備えており、
前記コントローラ（３）は、前記操作手段（４）が前記制御対象機器（２）を操作するためのソフトウェアを記憶する記憶部（９）を有している、
制御対象機器（２）の監視制御システム（１）。
【請求項１２】
前記コントローラ（３）は、前記制御対象機器（２）が設置された居室に関連する情報である居室情報を記憶する居室情報データベース（１０）をさらに有している、
請求項１１に記載の制御対象機器（２）の監視制御システム（１）。
【請求項１３】
前記コントローラ（３）は、前記配信要求情報を受信した前記制御対象機器（２）に対応する前記居室情報を前記居室情報データベース（１０）から選択する居室情報選択部（１２）をさらに有している、
請求項１２に記載の制御対象機器（２）の監視制御システム（１）。
【請求項１４】
前記コントローラ（３）は、前記配信要求情報を受信した前記制御対象機器（２）に対応する前記ソフトウェアを前記記憶部（９）から選択するソフトウェア選択部（１３）をさらに有している、
請求項１１に記載の制御対象機器（２）の監視制御システム（１）。
【請求項１５】
前記配信要求情報は、前記操作手段（４）を使用するユーザに付与されるユーザＩＤに関するユーザＩＤ情報を含んでおり、
前記コントローラ（３）は、前記ユーザＩＤ情報に対応する前記居室情報の送信を許可する送信許可部（１４）を有する、
請求項１２に記載の制御対象機器（２）の監視制御システム（１）。
【請求項１６】
前記コントローラ（３）は、外部の送信元から更新後の前記ソフトウェアを受信するソフトウェア受信部をさらに有している、
請求項１１に記載の制御対象機器（２）の監視制御システム（１）。
【請求項１７】
１つまたは複数の居室に配置された、請求項６に記載の制御対象機器（２）と、
１つまたは複数の前記制御対象機器（２）に接続され、前記制御対象機器（２）を監視および制御するコントローラ（２６）と、
遠隔監視センターに設置された、請求項６に記載のサーバ（３０）と、
を備えており、
前記コントローラ（２６）は、前記アドレスを記憶する記憶部（２７）を有しており、
前記サーバ（３０）は、前記操作手段（４）が前記制御対象機器（２）を操作するためのソフトウェアを記憶するソフトウェア記憶部（３４）、および前記ソフトウェアを前記操作手段（４）へ送信する送信部（３２）を有している、
制御対象機器（２）の監視制御システム（２５）。
【請求項１８】
前記サーバ（３０）は、前記制御対象機器（２）が設置された居室に関連する情報である居室情報を記憶する居室情報データベース（３７）をさらに有している、
請求項１７に記載の制御対象機器（２）の監視制御システム（２５）。
【請求項１９】
前記サーバ（３０）は、前記制御対象機器（２）の過去の設定履歴に関する設定履歴情報を記憶する設定履歴情報データベース（３８）をさらに有している、
請求項１７に記載の制御対象機器（２）の監視制御システム（２５）。
【請求項２０】
前記サーバ（３０）は、前記制御対象機器（２）の稼働時間に関する稼働時間情報を記憶する稼働時間情報データベース（３９）をさらに有している、
請求項１７に記載の制御対象機器（２）の監視制御システム（２５）。
【請求項２１】
前記コントローラ（２６）は、前記サーバ（３０）から更新後の前記アドレスを受信するアドレス受信部をさらに備えている、
請求項１７に記載の制御対象機器（２）の監視制御システム（２５）。
【請求項２２】
前記制御対象機器（２）および前記操作手段（４）は、赤外線通信によって通信可能に互いに接続されている、
請求項１１から２１に記載の制御対象機器（２）の監視制御システム（１，２５）。
【請求項２３】
前記操作手段（４）は、携帯可能である、
請求項１１から２２のいずれかに記載の制御対象機器（２）の監視制御システム（１，２５）。
【請求項２４】
前記制御対象機器（２）および前記操作手段（４）は、有線によって通信可能に互いに接続されている、
請求項１１から２１のいずれかに記載の制御対象機器（２）の監視制御システム（１，２５）。
【請求項２５】
前記制御対象機器（２）は、空気調和機の室内機である、
請求項１１から２４のいずれかに記載の制御対象機器（２）の監視制御システム（１，２５）。
【発明の詳細な説明】
【技術分野】
【０００１】
本発明は、制御対象機器およびその監視制御システムに関する。
【背景技術】
【０００２】
従来より、リモコンなどの携帯可能な操作手段を用いて、空調機器などの制御対象機器の遠隔操作が行われている。機器を操作するためのソフトウェアは、通常、リモコンにあらかじめ内蔵されている更新不可能な固定的なプログラムであり、機器の変更に伴ったプログラムの更新や変更ができない。そのため、１つのリモコンは、限定された機器しか操作できない。
【０００３】
そこで、リモコンが種々の機器の操作に対応できるように、リモコンのソフトウェアを更新する方法が提案されている。
特許文献１に記載のリモコンでは、空調機器を集中制御する空調制御用コントローラとリモコンとの間で通信を行うことにより、空調制御用コントローラからリモコンへの操作用ソフトウェアのダウンロード、および空調機器の遠隔操作が行われている。
【０００４】
また、他の更新方法として、インターネットなどの通信網を介して、ソフトウェアを格納するサーバからリモコンとして使用される携帯電話等ヘソフトウェアをダウンロードする方法が考えられる。
【特許文献１】特開２００３−９２５６号公報
【発明の開示】
【発明が解決しようとする課題】
【０００５】
しかし、特許文献１のリモコンへソフトウェアをダウンロードするとき、またはリモコンによって空調機器の操作を行うときに、コントローラと通信できる距離まで、リモコンを移動させる必要がある。そのため、リモコンのダウンロード環境に制限があり、使い勝手がわるい。
一方、ソフトウェアをインターネット経由でダウンロードする方法の場合、サーバのＵＲＬアドレスを、空調機器のマニュアル等から探し出し、ＵＲＬアドレスを携帯電話等へ入力するための手間がかかるという問題もある。
【０００６】
本発明の課題は、操作手段へのソフトウェアのダウンロードを容易に行うことができる、制御対象機器およびその監視制御システムを提供することにある。
【課題を解決するための手段】
【０００７】
第１発明の制御対象機器は、操作手段によって遠隔操作可能な制御対象機器である。制御対象機器は、受信部と、送信部とを備えている。受信部は、配信要求情報を受信する。配信要求情報は、操作手段から送信される配信要求に関する。送信部は、受信部が配信要求情報を受信したときに、制御対象機器を操作するためのソフトウェアを操作手段へ送信する。
【０００８】
ここでは、制御対象機器の受信部が操作手段からの配信要求情報を受信したときに、制御対象機器を操作するためのソフトウェアを操作手段へ送信する。したがって、ソフトウェアの入手が容易である。
【０００９】
第２発明の制御対象機器は、第１発明の制御対象機器であって、ソフトウェアを記憶する記憶部をさらに備えている。
ここでは、制御対象機器の記憶部に記憶されたソフトウェアが操作手段へ送信されるので、ソフトウェアの入手が容易である。
【００１０】
第３発明の制御対象機器は、第２発明の制御対象機器であって、ソフトウェア受信部をさらに備えている。ソフトウェア受信部は、外部の送信元から更新後のソフトウェアを受信する。
ここでは、外部の送信元から送信されてくる更新後のソフトウェアは、ソフトウェア受信部によって、受信される。
【００１１】
第４発明の制御対象機器は、第１発明から第３発明のいずれかの制御対象機器であって、ソフトウェア更新通知手段をさらに備えている。ソフトウェア更新通知手段は、ソフトウェアが更新されていることを操作手段へ通知する。
ここでは、ソフトウェアが更新されたときに、ソフトウェア更新通知手段によって操作手段へ通知される。
【００１２】
第５発明の制御対象機器は、第１発明から第４発明のいずれかの制御対象機器であって、ソフトウェア自動送信手段をさらに備えている。ソフトウェア自動送信手段は、更新後のソフトウェアを操作手段へ自動的に送信する。
ここでは、更新後のソフトウェアは、ソフトウェア自動送信手段によって、操作手段へ自動的に送信される。
【００１３】
第６発明の制御対象機器は、操作手段によって遠隔操作可能な制御対象機器である。制御対象機器は、受信部と、送信部とを備えている。受信部は、配信要求情報を受信する。配信要求情報は、操作手段から送信される配信要求に関する。送信部は、受信部が配信要求情報を受信したときに、サーバのアドレスを操作手段へ送信する。サーバは、制御対象機器を操作するためのソフトウェアが保存されている。
ここでは、制御対象機器の受信部が操作手段からの配信要求情報を受信したときに、制御対象機器を操作するためのソフトウェアを保存しているサーバのアドレスが操作手段へ送信される。したがって、ソフトウェアの入手が容易である。しかも、アドレスが操作手段に送信されるので、アドレスの入力作業が不要である。
【００１４】
第７発明の制御対象機器は、第６発明の制御対象機器であって、アドレスを記憶する記憶部をさらに備えている。
ここでは、制御対象機器の記憶部に記憶されているサーバのアドレスが操作手段へ送信されるので、ソフトウェアの入手が容易であり、かつアドレスの入力作業が不要である。
【００１５】
第８発明の制御対象機器は、第７発明の制御対象機器であって、アドレス受信部をさらに備えている。アドレス受信部は、サーバから更新後のアドレスを受信する。
ここでは、サーバから送信されてくる更新後のアドレスは、アドレス受信部によって、受信される。
第９発明の制御対象機器は、第６発明から第８発明のいずれかの制御対象機器であって、アドレス更新通知手段をさらに備えている。アドレス更新通知手段は、アドレスが更新されていることを操作手段へ通知する。
ここでは、アドレスが更新されたときに、アドレス更新通知手段によって操作手段へ通知される。
【００１６】
第１０発明の制御対象機器は、第６発明から第９発明のいずれかの制御対象機器であって、アドレス自動送信手段をさらに備えている。アドレス自動送信手段は、更新後のアドレスを操作手段へ自動的に送信する。
ここでは、更新後のアドレスは、アドレス自動送信手段によって、操作手段へ自動的に送信される。
【００１７】
第１１発明の制御対象機器の監視制御システムは、制御対象機器と、コントローラとを備えている。制御対象機器は、１つまたは複数の居室に配置されている。制御対象機器は、第１発明の制御対象機器である。コントローラは、１つまたは複数の制御対象機器に接続されている。コントローラは、制御対象機器を監視および制御する。コントローラは、記憶部を有している。記憶部は、操作手段が制御対象機器を操作するためのソフトウェアを記憶する。
ここでは、ソフトウェアが１つまたは複数の制御対象機器に接続されたコントローラに記憶されているので、ソフトウェアの入手が容易である。また、ソフトウェアは、コントローラで集中管理される。
【００１８】
第１２発明の制御対象機器の監視制御システムは、第１１発明の制御対象機器の監視制御システムであって、コントローラは、居室情報データベースをさらに有している、居室情報データベースは、居室情報を記憶する。居室情報は、制御対象機器が設置された居室に関連する情報である。
ここでは、コントローラが居室情報データベースを有しているので、ソフトウェアとともに居室情報が送信される。
【００１９】
第１３発明の制御対象機器の監視制御システムでは、第１２発明の制御対象機器の監視制御システムであって、コントローラは、居室情報選択部をさらに有している。居室情報選択部は、居室情報を居室情報データベースから選択する。居室情報は、配信要求情報を受信した制御対象機器に対応する
ここでは、コントローラが居室情報選択部を有しているので、配信要求情報を受信した制御対象機器に対応する居室情報が送信される。
【００２０】
第１４発明の制御対象機器の監視制御システムは、第１１発明の制御対象機器の監視制御システムであって、コントローラは、ソフトウェア選択部をさらに有している。ソフトウェア選択部は、配信要求情報を受信した制御対象機器に対応するソフトウェアを記憶部から選択する。
ここでは、ソフトウェア選択部が配信要求情報を受信した制御対象機器に対応するソフトウェアを記憶部から選択する。したがって、配信要求を受信した制御対象機器に対応するソフトウェアが送信される。
【００２１】
第１５発明の制御対象機器の監視制御システムは、第１２発明の制御対象機器の監視制御システムであって、配信要求情報は、ユーザＩＤ情報を含んでいる。ユーザＩＤ情報は、操作手段を使用するユーザに付与されるユーザＩＤに関する。コントローラは、送信許可部を有する、送信許可部は、ユーザＩＤ情報に対応する居室情報の送信を許可する。
ここでは、配信要求情報がユーザＩＤ情報を含んでいるので、送信許可部によって、ユーザの権限に応じて居室情報の送信が許可される。
【００２２】
第１６発明の制御対象機器の監視制御システムは、第１１発明の制御対象機器の監視制御システムであって、コントローラは、ソフトウェア受信部をさらに有している。ソフトウェア受信部は、外部の送信元から更新後のソフトウェアを受信する。
ここでは、外部の送信元から送信されてくる更新後のソフトウェアは、ソフトウェア受信部によって、受信される。
【００２３】
第１７発明の制御対象機器の監視制御システムは、制御対象機器と、コントローラと、サーバとを備えている。制御対象機器は、１つまたは複数の居室に配置されている。制御対象機器は、第６発明の制御対象機器である。コントローラは、１つまたは複数の制御対象機器に接続されている。コントローラは、制御対象機器を監視および制御する。サーバは、遠隔監視センターに設置されている。サーバは、第６発明のサーバである。コントローラは、アドレスを記憶する記憶部を有している。サーバは、ソフトウェア記憶部および送信部を有している。ソフトウェア記憶部は、操作手段が制御対象機器を操作するためのソフトウェアを記憶する。送信部は、ソフトウェアを操作手段へ送信する。
【００２４】
ここでは、制御対象機器の受信部が操作手段からの配信要求情報を受信したときに、制御対象機器を操作するためのソフトウェアを保存しているサーバのアドレスが操作手段へ送信される。アドレスは、コントローラから制御対象機器を介して送信手段へ送信される。したがって、ソフトウェアの入手が容易であり、かつ、アドレスの入力動作が不要である。また、ソフトウェアは、サーバで集中管理および変更される。
【００２５】
第１８発明の制御対象機器の監視制御システムは、第１７発明の制御対象機器の監視制御システムであって、サーバは、居室情報データベースをさらに有している。居室情報データベースは、居室情報を記憶する。居室情報は、制御対象機器が設置された居室に関連する情報である。
ここでは、サーバが居室情報データベースを有しているので、ソフトウェアとともに居室情報が送信される。また、居室情報は、サーバで集中管理および変更される。
【００２６】
第１９発明の制御対象機器の監視制御システムは、第１７発明の制御対象機器の監視制御システムであって、サーバは、設定履歴情報データベースをさらに有している。設定履歴情報データベースは、設定履歴情報を記憶する。設定履歴情報は、制御対象機器の過去の設定履歴に関する。
ここでは、サーバが設定履歴情報データベースを有しているので、ソフトウェアとともに設定履歴情報が送信される。また、設定履歴情報は、サーバで集中管理および変更される。
【００２７】
第２０発明の制御対象機器の監視制御システムは、第１７発明の制御対象機器の監視制御システムであって、サーバは、稼働時間情報データベースをさらに有している。稼働時間情報データベースは、稼働時間情報を記憶する。稼働時間情報は、制御対象機器の過去の稼働時間に関する。
ここでは、サーバが稼働時間情報データベースを有しているので、ソフトウェアとともに稼働時間情報が送信される。また、稼働時間情報は、サーバで集中管理および変更される。
【００２８】
第２１発明の制御対象機器の監視制御システムは、第１７発明の制御対象機器の監視制御システムであって、コントローラは、アドレス受信部をさらに有している。アドレス受信部は、サーバから更新後のアドレスを受信する。
ここでは、サーバから送信されてくる更新後のアドレスは、アドレス受信部によって、受信される。
【００２９】
第２２発明の制御対象機器の監視制御システムは、第１１発明から第２１発明のいずれかに記載の制御対象機器の監視制御システムであって、制御対象機器および操作手段は、赤外線通信によって通信可能に互いに接続されている。
ここでは、制御対象機器および操作手段は、赤外線通信によって接続されているので、外部に情報が漏れることがなく、セキュリティ面で安全である。
【００３０】
第２３発明の制御対象機器の監視制御システムは、第１１発明から第２２発明のいずれかに記載の制御対象機器の監視制御システムであって、操作手段は、携帯可能である。
ここでは、操作手段は、携帯可能であるので、任意の場所へ移動して使用される。
【００３１】
第２４発明の制御対象機器の監視制御システムは、第１１発明から第２１発明のいずれかに記載の制御対象機器の監視制御システムであって、制御対象機器および操作手段は、有線によって通信可能に互いに接続されている。
ここでは、操作手段は、制御対象機器に有線接続されて使用される。
第２５発明の制御対象機器の監視制御システムは、第１１発明から第２４発明のいずれかに記載の制御対象機器の監視制御システムであって、制御対象機器は、空気調和機の室内機である。
ここでは、監視制御システムは、空気調和機の室内機の監視制御のために用いられる。
【発明の効果】
【００３２】
第１発明によれば、制御対象機器を操作するためのソフトウェアの入手が容易である。
第２発明によれば、ソフトウェアの入手が容易である。
第３発明によれば、外部の送信元から送信されてくる更新後のソフトウェアを受信することによって、制御対象機器に格納されたソフトウェアの更新をすることができる。
第４発明によれば、ソフトウェアが更新されたことを操作手段へ通知することができる。
【００３３】
第５発明によれば、更新後のソフトウェアを操作手段へ自動的に送信することができる。
第６発明によれば、ソフトウェアの入手が容易であり、かつ、アドレスの入力作業が不要である。また、制御対象機器からアドレスのみを取得して、サーバにあるソフトウェアを操作手段へダウンロードするので、ソフトウェアのバージョンアップなどがあった場合でも、サーバにあるソフトウェアを更新するだけで済むという利便性を有する。
【００３４】
第７発明によれば、ソフトウェアの入手が容易であり、かつ、アドレスの入力作業が不要である。
第８発明によれば、サーバから送信されてくる更新後のアドレスを受信することによって、制御対象機器に格納されたアドレスの更新をすることができる。
第９発明によれば、アドレスが更新されたことを操作手段へ通知することができる。
【００３５】
第１０発明によれば、更新後のアドレスを操作手段へ自動的に送信することができる。
第１１発明によれば、ソフトウェアの入手が容易である。また、ソフトウェアをコントローラで集中管理することができる。
第１２発明によれば、ソフトウェアとともに居室情報を取得することができる。
第１３発明によれば、配信要求情報を受信した制御対象機器に対応する居室情報を取得することができる。
【００３６】
第１４発明によれば、配信要求を受信した制御対象機器に対応するソフトウェアを取得することができる。
第１５発明によれば、ユーザの権限に応じて居室情報の送信を許可することができる。
第１６発明によれば、外部の送信元から送信されてくる更新後のソフトウェアを受信することによって、コントローラに格納されたソフトウェアの更新をすることができる。
【００３７】
第１７発明によれば、ソフトウェアの入手が容易であり、かつ、アドレスの入力動作が不要である。また、ソフトウェアをサーバで集中管理および変更することができる。さらに、制御対象機器からアドレスのみを取得して、サーバにあるソフトウェアを操作手段へダウンロードするので、ソフトウェアのバージョンアップなどがあった場合でも、サーバにあるソフトウェアを更新するだけで済むという利便性を有する。  第１８発明によれば、ソフトウェアとともに居室情報を取得することができる。また、居室情報をサーバで集中管理および変更することができる。
【００３８】
第１９発明によれば、ソフトウェアとともに設定履歴情報を取得することができる。また、設定履歴情報をサーバで集中管理および変更することができる。
第２０発明によれば、ソフトウェアとともに稼働時間情報を取得することができる。また、稼働時間情報をサーバで集中管理および変更することができる。
第２１発明によれば、サーバから送信されてくる更新後のアドレスを受信することによって、コントローラに格納されたアドレスの更新をすることができる。
【００３９】
第２２発明によれば、外部に情報が漏れることがなく、セキュリティ面で安全である。
第２３発明によれば、操作手段を任意の場所へ移動して使用することができる。
第２４発明によれば、操作手段を制御対象機器に有線接続して使用することができる。
第２５発明によれば、空気調和機の室内機の監視制御のために用いることができる。
【発明を実施するための最良の形態】
【００４０】
〔第１実施形態〕
つぎに、本発明の第１実施形態に係る制御対象機器およびその監視制御システムについて、図面を参照しながら詳細に説明する。
＜監視制御システム１の構成＞
図１に示されるように、監視制御システム１は、制御対象機器を監視制御するシステムであり、主要な構成として、制御対象機器である、空気調和機の複数の室内機２と、複数の室内機２を制御するための空調システム監視制御用コントローラ（以下、コントローラという）３とを備えている。
【００４１】
複数の室内機２（室内機番号：ＩＤ−１、ＩＤ−２、ＩＤ−３）は、それぞれ複数の居室ＳＡ、ＳＢに配置されている。具体的には、室内機２は、天井裏の空間ＳＣに埋め込まれ、居室ＳＡ、ＳＢのそれぞれの上方に配置されている。複数の室内機２は、イーサネットなどの通信網Ｌ１を介して、コントローラ３に通信可能に接続されている。また、複数の室内機２は、冷媒配管Ｌ２を介して、室外機Ａに接続されている。
【００４２】
複数の室内機２は、携帯可能な操作手段である携帯電話４によって、それぞれ操作される。
なお、本実施形態では、複数の居室に設置された複数台の空調機を制御する例が示されているが、本発明はこれに限定されるものではなく、１つの居室に設置された複数台の空調機を制御する場合、または１台の空調機のみを制御する場合であっても本発明を適用することができる。
【００４３】
＜室内機２の構成＞
図２に示されるように、複数の室内機２は、それぞれ同一の構成を有しており、空気調和に関する機能を有する本体ユニットＢと、通信ユニット５とを有している。
通信ユニット５は、受信部６と、送信部７と、インターフェース８と、制御部２９とを備えている。
受信部６は、携帯電話４から送信される配信要求に関する配信要求情報を受信する。また、受信部６は、携帯電話４から送信される操作信号を受信する。
配信要求情報は、携帯電話４を使用するユーザに付与されるユーザＩＤに関するユーザＩＤ情報を含んでいる。
【００４４】
送信部７は、受信部６が配信要求情報を受信したときに、室内機２を操作するためのソフトウェアを携帯電話４へ送信する。また、送信部７は、コントローラ３に記憶されている居室情報を携帯電話４へ送信する。さらに、送信部７は、操作状況その他の情報も逐一携帯電話４へ送信する。ソフトウェア、居室情報、およびその他種々の情報は、通信網Ｌ１を介して、コントローラ３から、配信要求情報を受信した室内機２へ送信されてくる。
【００４５】
制御部２９は、受信部６、送信部７、およびインターフェース８を制御する。
室内機２の受信部６および送信部７は、携帯電話４の送信部１６および受信部１７（図４参照）との間で赤外線通信を行うことができる構成になっている。すなわち、受信部６および受信部１７は、赤外線受光部からなり、送信部７および送信部１６は、赤外線発信部からなる。室内機２と携帯電話４との間の通信手段として、赤外線通信が採用されているので、外部に情報が漏れることがなく、セキュリティ面で安全である。
【００４６】
インターフェース８は、室内機２とコントローラ３とのあいだの信号の送受信ためのインターフェースである。インターフェース８は、通信網Ｌ１を介してコントローラ３のインターフェース１５に接続されている。
室内機２からコントローラ３へ送信される情報は、配信要求情報と、その配信要求情報を受信した室内機２の位置情報とを含む。位置情報は、インターフェース１５の内蔵メモリなどに記憶されている。位置情報は、室内機２のそれぞれの固有の室内機番号（ＩＤ−１、ＩＤ−２、ＩＤ−３）などからなる。
【００４７】
＜コントローラ３の構成＞
コントローラ３は、複数の室内機２に接続され、室内機２を監視および制御する。
図３に示されるように、コントローラ３は、記憶部９と、居室情報データベース１０と、制御部１１と、居室情報選択部１２と、ソフトウェア選択部１３と、送信許可部１４と、インターフェース１５とを有している。
記憶部９は、携帯電話４が室内機２を操作するためのソフトウェアＳを記憶する。ソフトウェアは、複数の室内機２のそれぞれの機種に対応した１種以上のソフトウェアである。なお、複数の室内機２がすべて同じ機種の場合には、ソフトウェアは１種のみでもよい。
【００４８】
居室情報データベース１０は、居室情報を格納している。居室情報は、室内機２の位置情報（設置場所（例えば、部屋やフロア）等）、または室内機２が属する部屋やテナント等を示す空調機リスト等の空調機管理情報である。すなわち、居室情報は、ある部屋の室内機２が、どのツリーに属しているか、どの部屋にあるか、またはどのテナントに属しているかなどの情報を含んでいる。これらの居室情報は、居室情報を取得した携帯電話４の表示部１９（図４および図６参照）に表示される。
【００４９】
制御部１１は、複数の室内機２の運転を制御および監視するＣＰＵである。また、制御部１１は、コントローラ３の内部の各構成要素（記憶部９と、居室情報データベース１０と、制御部１１と、居室情報選択部１２と、ソフトウェア選択部１３と、送信許可部１４と、インターフェース１５）の動作を制御する。
居室情報選択部１２は、配信要求情報を受信した室内機２に対応する居室情報を居室情報データベースから選択する。例えば、図１における配信要求情報を受信した室内機２が室内機番号ＩＤ−２の室内機２である場合、室内機番号ＩＤ−２の室内機２が配置された個室ＳＡに関する居室情報（例えば、個室ＳＡにおける空調機リストなど）が選択される。
【００５０】
ソフトウェア選択部１３は、配信要求情報を受信した室内機２に対応するソフトウェアＳを記憶部９から選択する。
送信許可部１４は、配信要求情報に含まれるユーザＩＤ情報に対応する居室情報の送信を許可する。また、送信許可部１４は、配信要求情報に含まれるユーザＩＤ情報に基づいて、ソフトウェアの送信も許可する。
インターフェース１５は、通信網Ｌ１を介して室内機２のインターフェース８に接続されている。
【００５１】
＜携帯電話４の構成＞
図４に示されるように、携帯電話４は、通常の通話機能およびメール送受信機能等の基本機能の他に、複数の室内機２を操作するためのリモコンとしての機能を有するものである。携帯電話４は、送信部１６と、受信部１７と、制御部１８と、表示部１９と、操作部２０とを有している。
【００５２】
送信部１６は、配信要求情報を室内機２へ送信する。また、送信部１６は、室内機２を操作するための操作信号を送信する。
受信部１７は、室内機２の送信部７から送信されるソフトウェアを受信する。また、受信部１７は、コントローラ３に記憶されている居室情報を送信部７から受信する。さらに、受信部１７は、操作状況その他の情報も送信部７から受信する。
【００５３】
制御部１８は、携帯電話４の内部の各構成要素（送信部１６、受信部１７、表示部１９、および操作部２０）の動作を制御する。
表示部１９は、室内機２の送信部７から送信される居室情報を表示する（図６参照）。また、表示部１９は、室内機２を遠隔操作するときには、室内機２を操作するときの種々の情報（室内機２の運転・停止、暖房・冷房、設定温度、風量など）を表示する。
【００５４】
操作部２０は、携帯電話４の既存のボタンからなる。操作部２０は、室内機２の遠隔操作やユーザＩＤ情報の入力に用いられる。操作部２０によって室内機２の遠隔操作やユーザＩＤ情報の入力を行う場合には、表示部１９に遠隔操作用画面やユーザＩＤ入力用画面等が表示される。
【００５５】
＜ソフトウェアのダウンロード方法＞
つぎに、本実施形態のソフトウェアの携帯電話４へのダウンロードの手順を、図５のフローチャートを参照しながら説明する。ここで、携帯電話４のユーザが操作部２０を操作することにより、配信要求信号およびユーザＩＤ情報の送信が行われるものとする。
図５に示されるように、ステップＳ１において、ユーザが携帯電話４の操作部２０を操作することによって、配信要求信号は、まず、携帯電話４の送信部１６から携帯電話４に最も近い室内機２（図１では、空調機番号ＩＤ−２の室内機２）の受信部６へ送信される。そののち、配信要求信号およびその配信要求情報を受信した室内機２の位置情報は、通信網Ｌ１を介して、コントローラ３に受信される。
【００５６】
ついで、ステップＳ２において、コントローラ３の制御部１１は、配信要求情報に含まれるユーザＩＤ情報がソフトウェアおよび居室情報の送信許可を受けられるか否かを判別するように、送信許可部１４を制御する。送信許可が受けられる場合には、処理はステップＳ３へ進み、一方、送信許可が受けられない場合には、処理はステップＳ１へ戻る。
ついで、ステップＳ３において、制御部１１は、配信要求情報に含まれるユーザＩＤ情報、および配信要求情報を受信した室内機２の位置情報に基づいて、ソフトウェアをコントローラ３の記憶部９から選択するようにソフトウェア選択部１３を制御する。
【００５７】
ついで、ステップＳ４において、制御部１１は、ユーザＩＤ情報および位置情報に基づいて、居室情報をコントローラ３の居室情報データベース１０から選択するように、居室情報選択部１２を制御する。
そののち、ステップＳ５において、ソフトウェアおよび居室情報は、配信要求情報を受信した室内機２（図１では、空調機番号ＩＤ−２の室内機２）を介して、携帯電話４へ送信される。さらに詳しく言えば、室内機２の制御部２９は、配信要求情報を受信した室内機２のインターフェース８とコントローラのインターフェース１５との間の通信を確立した状態で、ソフトウェアおよび居室情報を携帯電話４へ送信するように、室内機２の送信部７を制御する。
携帯電話４が居室情報を取得すれば、携帯電話４の表示部１９には、図６に示されるように、複数の室内機２のそれぞれの室内機番号ＩＤ−１、ＩＤ−２、ＩＤ−３を含む室内機情報２１と、それらの室内機２が所属する部屋の名称ＳＡ、ＳＢを含む部屋名称情報２２とからなる空調機リスト２３が表示される。これにより、携帯電話４のユーザは、これから携帯電話４によって操作される室内機２（例えば、図１における室内機番号ＩＤ−２の室内機２）およびその他の室内機２についての情報を知ることができる。これから携帯電話４によって操作される室内機２（ＩＤ−２）は、発光部分２４によって、他の室内機２と区別できるように表示される。
【００５８】
＜第１実施形態の特徴＞
（１）
第１実施形態の監視制御システム１では、複数の室内機２を監視および制御するコントローラ３が、携帯電話４が室内機２を操作するためのソフトウェアを記憶する記憶部９を有している。また、複数の室内機２は、携帯電話４からの配信要求情報を受信する受信部６と、受信部６が配信要求情報を受信したときに、ソフトウェアを携帯電話４へ送信する送信部７をそれぞれ備えている。したがって、携帯電話４のユーザは、最も近い室内機２に配信要求情報を送信することにより、その室内機２を操作するためのソフトウェアを取得することができる。そのため、ソフトウェアの入手が容易である。しかも、複数の室内機２のソフトウェアは、コントローラ３で集中管理される。
（２）
第１実施形態の監視制御システム１では、コントローラ３は、室内機２が設置された居室に関連する情報である居室情報を記憶する居室情報データベース１０を有している。したがって、ソフトウェアとともに居室情報が携帯電話４へ送信される。
（３）
第１実施形態の監視制御システム１では、コントローラ３は、配信要求情報を受信した室内機２に対応する居室情報を居室情報データベース１０から選択する居室情報選択部１２を有している。したがって、配信要求情報を受信した室内機２に対応する居室情報が携帯電話４へ自動的に送信される。そのため、１つの室内機２に対応する居室情報が容易に入手されるので、入手に必要な操作は軽減される。
（４）
第１実施形態の監視制御システム１では、コントローラ３は、配信要求情報を受信した室内機２に対応するソフトウェアを記憶部９から選択するソフトウェア選択部１３を有している。したがって、室内機２を操作するためのソフトウェアが室内機２ごとに異なる場合でも、配信要求情報を受信した室内機２に対応するソフトウェアが送信される。
（５）
第１実施形態の監視制御システム１では、配信要求情報は、携帯電話４を使用するユーザに付与されるユーザＩＤに関するユーザＩＤ情報を含んでいる。コントローラ３は、ユーザＩＤ情報に対応する居室情報およびソフトウェアの送信を許可する送信許可部１４を有する。したがって、ユーザの権限に応じて居室情報およびソフトウェアの送信が許可される。
（６）
第１実施形態の監視制御システム１では、室内機２と携帯電話４との間の通信手段として、赤外線通信が採用されているので、外部に情報が漏れることがなく、セキュリティ面で安全である。
また、複数の室内機２のうちのいずれか１つと携帯電話４とが赤外線通信することによって、建物内部の複数の室内機２から１つの室内機２を特定するので、一般的なＧＰＳではなし得ない高精度で室内機２の位置を検出することができる。
（７）
第１実施形態では、操作手段として、携帯電話４などの携帯可能な操作手段を採用しているので、ユーザは、携帯電話４を任意の場所へ移動して操作用ソフトウェアの取得および室内機２の操作を行うことができる。
【００５９】
＜第１実施形態の変形例＞
（Ａ）
第１実施形態では、複数の室内機２のそれぞれを操作するためのソフトウェアは、コントローラ３の記憶部９にソフトウェアが記憶されて集中管理されているが、本発明はこれに限定されるものではなく、携帯電話４で操作を行うためのソフトウェアを記憶するための記憶部５１（図８参照）を室内機２に備えてもよい。
【００６０】
図７〜図８に示される室内機２の通信ユニット５は、受信部６と、送信部７と、記憶部５１と、制御部５２とを備えている。受信部６および送信部７は、図２の室内機２と共通している。
記憶部５１は、携帯電話４で操作を行うためのソフトウェアを記憶している。記憶部５１は、送信部７に接続されている。
【００６１】
制御部５２は、通信ユニット５の内部の各構成要素（受信部６、送信部７、および記憶部５１）の動作を制御する。
図７〜図８に示される室内機２の場合、それぞれの室内機２に対応するソフトウェアを記憶部５１に記憶されているので、配信要求情報を室内機２に送信するだけで、室内機２の記憶部５１から、配信要求情報を受信した室内機２を操作するための専用のソフトウェアを確実に携帯電話４に取得することができる。そのため、ソフトウェアの入手が容易である。
【００６２】
図７〜図８に示される室内機２と同様に、携帯電話４で操作を行うためのソフトウェアを記憶するための記憶部を備えたルームエアコンであってもよい。この場合であっても、配信要求情報をルームエアコンに送信するだけで、記憶部から、ルームエアコンを操作するための専用のソフトウェアを確実に携帯電話４に取得することができるため、ソフトウェアの入手が容易である。
【００６３】
また、図７〜図８に示される室内機２は、外部の送信元（たとえば、遠隔監視センターに設置された遠隔監視センター用サーバ）から更新後のソフトウェアを受信するソフトウェア受信部をさらに備えていてもよい。この場合、遠隔監視センターからのソフトウェアの更新が可能になる。
さらに、図７〜図８に示される室内機２は、外部の送信元からの受信（または現地に出向いたサービスマンの携帯端末からのダウンロード）によって、ソフトウェアが更新されていることを携帯電話４へ通知するソフトウェア更新通知手段をさらに備えていてもよい。この場合、携帯電話４から室内機２に操作信号を送信する際に、ソフトウェアのバージョン情報を送信し、室内機２側の制御部２９などでバージョンをチェックし、ソフトウェアの更新が必要な場合には、携帯電話４にソフトウェアの更新が必要であることを通知する。更新の通知を受けたユーザは、再度、配信要求を送信してソフトウェアの更新を行えばよい。
【００６４】
さらに、図７〜図８に示される室内機２は、更新後のソフトウェアを携帯電話４へ自動的に送信するソフトウェア自動送信手段をさらに備えていてもよく、この場合、ソフトウェアの更新があれば、ユーザからの配信要求がなくても、ユーザが携帯電話４を用いて室内機２を操作しているときなどに、自動的にソフトウェアの更新を行うことができる。
（Ｂ）
また、上記の変形例（Ａ）と同様に、図１および図３に示されるコントローラ３は、外部の送信元（たとえば、遠隔監視センターに設置された遠隔監視センター用サーバ）から更新後のソフトウェアを受信するソフトウェア受信部をさらに備えていてもよい。この場合、遠隔監視センターからのソフトウェアの更新が可能になる。
【００６５】
この場合も上記の変形例（Ａ）と同様に、図２に示される室内機２は、外部の送信元からの受信（または現地に出向いたサービスマンの携帯端末からのダウンロード）によって、コントローラ３の記憶部９に格納されたソフトウェアが更新されていることを携帯電話４へ通知するソフトウェア更新通知手段をさらに備えていてもよい。この場合、携帯電話４から室内機２に操作信号を送信する際に、ソフトウェアのバージョン情報を送信し、室内機２側の制御部２９などでバージョンをチェックし、ソフトウェアの更新が必要な場合には、携帯電話４に更新が必要であることを通知する。更新の通知を受けたユーザは、再度、配信要求を送信してソフトウェアの更新を行えばよい。
さらに、図２に示される室内機２は、更新後のソフトウェアを携帯電話４へ自動的に送信するソフトウェア自動送信手段をさらに備えていてもよく、この場合、コントローラ３の記憶部９に格納されたソフトウェアの更新があれば、ユーザからの配信要求がなくても、ユーザが携帯電話４を用いて室内機２を操作しているときなどに、自動的にソフトウェアの更新を行うことができる。
【００６６】
（Ｃ）
第１実施形態の監視制御システム１では、室内機２と携帯電話４との間の通信手段として、赤外線通信が採用されているが、本発明はこれに限定されるものではなく、他の無線接続、例えばブルートゥースなどによる無線接続を採用しても、第１実施形態の監視制御システムと同様にソフトウェアの携帯電話４へのダウンロードを行うことができる。
（Ｄ）
また、第１実施形態の監視制御システム１では、室内機２と携帯電話４との間の通信手段として、赤外線通信などの無線接続が採用されているが、本発明はこれに限定されるものではなく、操作手段を有線によって室内機２に接続してもよい。この場合、リモコンなどの操作手段を複数の室内機２のいずれか１つに有線によって通信可能に接続し、そののち、室内機２からリモコンへソフトウェアをダウンロードすることができるので、ソフトウェアの入手が容易である。
（Ｅ）
第１実施形態では、携帯電話４の表示部１９に空調機リストが表示されるが、この空調機リストを用いて、配信要求情報を受信した室内機２以外の他の室内機２を遠隔操作するようにしてもよい。この場合、複数の室内機２を操作するための少なくとも１種の操作用ソフトウェアを携帯電話４へダウンロードし、携帯電話４が存在している居室ＳＡとは別の居室ＳＢに所属する空調機番号ＩＤ−３の室内機２を選択すれば、ＩＤ−３の室内機２を遠隔操作することができる。
（Ｆ）
第１実施形態では、携帯可能な操作手段として携帯電話４を例にあげて説明しているが、本発明はこれに限定されるものではなく、室内機２と送受信可能なリモコンであってもよい。また、他の携帯可能な操作手段としてＰＤＡなどの情報携帯端末を用いてもよい。
【００６７】
〔第２実施形態〕
つぎに、本発明の第２実施形態に係る制御対象機器およびその監視制御システムについて、図面を参照しながら詳細に説明する。
＜監視制御システム２５の構成＞
図９に示されるように、監視制御システム２５は、制御対象機器を監視制御するシステムであり、主要な構成として、制御対象機器である、空気調和機の複数の室内機２と、複数の室内機２を制御するための空調システム監視制御用コントローラ（以下、コントローラという）２６と、遠隔監視センターに設置された遠隔監視センター用サーバ（以下、サーバという）３０とを備えている。サーバ３０には、室内機２を操作するためのソフトウェアが保存されている。
複数の室内機２（室内機番号：ＩＤ−１、ＩＤ−２、ＩＤ−３）および室外機Ａは、第１実施形態の室内機２の室外機Ａの構成と共通している。なお、第２実施形態では、室内機２の送信部７（図２参照）は、ソフトウェアを送信する代わりにサーバ３０のＵＲＬアドレスを送信する。
複数の室内機２は、携帯可能な操作手段である携帯電話４によって、それぞれ操作される。携帯電話４は、第１実施形態の携帯電話４の構成と共通している。携帯電話４は、インターネットなどの通信網Ｃを介して、サーバ３０に接続可能である。
【００６８】
＜コントローラ２６の構成＞
コントローラ２６は、複数の室内機２に接続され、室内機２を監視および制御する。
図１０に示されるように、コントローラ２６は、制御部１１と、インターフェース１５と、ＵＲＬアドレス記憶部２７と、送信許可部２８とを有している。制御部１１およびインターフェース１５は、第１実施形態の制御部１１およびインターフェース１５の構成と共通している。
ＵＲＬアドレス記憶部２７は、サーバ３０のＵＲＬアドレスを記憶する。
送信許可部２８は、配信要求情報に含まれるユーザＩＤ情報に基づいて、ＵＲＬアドレスの送信を許可する。
【００６９】
＜サーバ３０の構成＞
図１１に示されるように、サーバ３０は、受信部３１と、送信部３２と、制御部３３と、ソフトウェア記憶部３４と、送信許可部３６、居室情報データベース３７と、設定履歴情報データベース３８と、稼働時間情報データベース３９とを有している。
【００７０】
受信部３１は、携帯電話４から送信される配信要求に関する配信要求情報を受信する。配信要求情報は、携帯電話４を使用するユーザに付与されるユーザＩＤに関するユーザＩＤ情報を含んでいる。
送信部３２は、受信部３１が配信要求情報を受信したときに、室内機２を操作するためのソフトウェアＳおよび居室情報を携帯電話４へ送信する。さらに、送信部３２は、設定履歴情報データベース３８に記憶されている設定履歴情報、および稼働時間情報データベース３９に記憶されている稼働時間情報も携帯電話４へ送信する。
【００７１】
ソフトウェア記憶部３４は、携帯電話４が室内機２を操作するためのソフトウェアＳを記憶する。ソフトウェアＳは、複数の室内機２のそれぞれの機種に対応した１種以上のソフトウェアである。ソフトウェアが複数ある場合には、それぞれのソフトウェアに対応するＵＲＬアドレスを設定しておき、所定のソフトウェアをダウンロードできるようにすればよい。なお、複数の室内機２がすべて同じ機種の場合には、ソフトウェアおよびそれに対応するＵＲＬアドレスは１種のみでよい。
【００７２】
制御部３３は、サーバ３０の内部の各構成要素（受信部３１と、送信部３２と、ソフトウェア記憶部３４と、居室情報データベース３７、設定履歴情報データベース３８、および稼働時間情報データベース３９）の動作を制御する。
送信許可部３６は、配信要求情報に含まれるユーザＩＤ情報に対応する居室情報の送信を許可する。また、送信許可部３６は、配信要求情報に含まれるユーザＩＤ情報に基づいて、ソフトウェアの送信も許可する。
【００７３】
居室情報データベース３７は、居室情報を格納している。居室情報は、室内機２の位置情報（設置場所（例えば、部屋やフロア）等）、または室内機２が属する部屋やテナント等を示す空調機リスト等の空調機管理情報である。
設定履歴情報データベース３８は、複数の室内機２のそれぞれの設定履歴に関する設定履歴情報を格納している。
稼働時間情報データベース３９は、複数の室内機２のそれぞれの稼働時間に関する稼働時間情報を格納している。
【００７４】
＜ソフトウェアのダウンロード方法＞
つぎに、本実施形態のソフトウェアのダウンロードの手順を、図１２〜図１３のフローチャートを参照しながら説明する。ここで、携帯電話４のユーザが操作部２０（図４参照）を操作することにより、配信要求信号およびユーザＩＤ情報の送信が行われるものとする。ソフトウェアをダウンロードするために、まず、サーバ３０のＵＲＬアドレスを取得する。
【００７５】
＜ＵＲＬアドレス取得処理＞
図１２に示されるように、ステップＳ２１において、ユーザが携帯電話４の操作部２０を操作することによって、配信要求信号は、まず、携帯電話４の送信部１６から携帯電話４に最も近い室内機２（図９では、空調機番号ＩＤ−２の室内機２）の受信部６（図２参照）へ送信される。そののち、配信要求信号およびその配信要求情報を受信した室内機２の位置情報は、通信網Ｌ１を介して、コントローラ２６に受信される。
【００７６】
ついで、ステップＳ２２において、コントローラ２６の制御部１１は、配信要求情報に含まれるユーザＩＤ情報がＵＲＬアドレスの送信許可を受けられるか否かを判別するように、送信許可部２８を制御する。送信許可が受けられる場合には、処理はステップＳ２３へ進み、一方、送信許可が受けられない場合には、処理はステップＳ２１へ戻る。
ついで、ステップＳ２３において、ＵＲＬアドレスは、配信要求情報を受信した室内機２（図９では、空調機番号ＩＤ−２の室内機２）を介して、携帯電話４へ送信される。さらに詳しく言えば、室内機２の制御部２９（図２参照）は、配信要求情報を受信した室内機２のインターフェース８とコントローラのインターフェース１５との間の通信を確立した状態で、ＵＲＬアドレスを携帯電話４へ送信するように、室内機２の送信部７（図２参照）を制御する。
これにより、サーバ３０のＵＲＬアドレスは、携帯電話４に取得される。
【００７７】
＜サーバ３０からのダウンロード処理＞
つぎに、サーバ３０から携帯電話４へのソフトウェアのダウンロード処理を行う。
図１３に示されるように、ステップＳ３１において、サーバ３０は、ＵＲＬアドレスを取得した携帯電話４によって接続される。いいかえれば、携帯電話４は、取得したＵＲＬアドレスを用いて、インターネットなどの通信網Ｃを介して、サーバ３０へ接続する。
【００７８】
つぎに、ステップＳ３２において、ユーザが携帯電話４の操作部２０を操作することによって、配信要求信号は、通信網Ｃを介して、サーバ３０の受信部３１に受信される。
ついで、ステップＳ３３において、サーバ３０の制御部３３は、配信要求情報に含まれるユーザＩＤ情報がソフトウェアおよび居室情報の送信許可を受けられるか否かを判別するように、送信許可部３６を制御する。送信許可が受けられる場合には、処理はステップＳ３４へ進み、一方、送信許可が受けられない場合には、処理はステップＳ３１へ戻る。
ついで、ステップＳ３４において、サーバ３０の制御部３３は、ソフトウェアおよび居室情報等（居室情報、設定履歴情報、および稼働時間情報など）を、通信網Ｃを介して、携帯電話４へ送信するように、送信部３２を制御する。これにより、携帯電話４は、ソフトウェアおよび居室情報等を取得することができる。
【００７９】
＜第２実施形態の特徴＞
（１）
第２実施形態の監視制御システム２５では、複数の室内機２を監視および制御するコントローラ２６が、サーバ３０のＵＲＬアドレスを記憶するＵＲＬアドレス記憶部２７を有している。サーバ３０は、携帯電話４が室内機２を操作するためのソフトウェアを保存している。また、複数の室内機２は、携帯電話４からの配信要求情報を受信する受信部６と、受信部６が配信要求情報を受信したときに、ＵＲＬアドレスを携帯電話４へ送信する送信部７をそれぞれ備えている。したがって、携帯電話４のユーザは、最も近い室内機２に配信要求情報を送信することにより、ＵＲＬアドレスを取得することができる。そのため、ユーザは、取得したＵＲＬアドレスを用いてサーバ３０にアクセスして、ソフトウェアを容易に入手する。このため、ＵＲＬアドレスの入手作業が不要である。
【００８０】
しかも、複数の室内機２を操作するためのソフトウェアは、サーバ３０で集中管理される。したがって、室内機２の機種変更があった場合や居室のレイアウト変更があった場合にも、遠隔監視センター側のサーバ３０で機種変更等に対応することが可能である。
第２実施形態の監視制御システム２５では、室内機２からＵＲＬアドレスのみを取得して、サーバ３０にあるソフトウェアを携帯電話４へダウンロードするので、ソフトウェアのバージョンアップなどがあった場合でも、サーバ３０にあるソフトウェアを更新するだけで済むという利便性を有する。一方、空調機本体やコントローラにソフトウェアを記憶している場合には、それらに記憶されているソフトウェアを全て更新する必要があり、莫大な工数や作業が発生するが、上記の第２実施形態の監視制御システム２５では、これらの莫大な工数や作業が発生しない。
（２）
第２実施形態の監視制御システム２５では、サーバ３０は、室内機２が設置された居室に関連する情報である居室情報を記憶する居室情報データベース３７を有している。したがって、ソフトウェアとともに居室情報が携帯電話４へ送信される。
（３）
第２実施形態の監視制御システム２５では、サーバ３０は、複数の室内機２の過去の設定履歴に関する設定履歴情報を記憶する設定履歴情報データベース３８を有している。したがって、ソフトウェアとともに設定履歴情報が携帯電話４へ送信される。
（４）
第２実施形態の監視制御システム２５では、サーバ３０は、複数の室内機２の稼働時間に関する稼働時間情報を記憶する稼働時間情報データベース３９を有している。したがって、ソフトウェアとともに稼働時間情報が携帯電話４へ送信される。
（５）
第２実施形態の監視制御システム２５では、配信要求情報は、携帯電話４を使用するユーザに付与されるユーザＩＤに関するユーザＩＤ情報を含んでいる。サーバ３０は、ユーザＩＤ情報に対応する居室情報等およびソフトウェアの送信を許可する送信許可部３６を有する、したがって、ユーザの権限に応じて居室情報等およびソフトウェアの送信が許可される。
【００８１】
＜第２実施形態の変形例＞
（Ａ）
第２実施形態では、サーバ３０のＵＲＬアドレスは、コントローラ２６のＵＲＬアドレス記憶部２７に記憶されて集中管理されているが、本発明はこれに限定されるものではなく、ＵＲＬアドレス記憶部３９（図１４参照）を室内機２に備えてもよい。
【００８２】
図１４に示される室内機２の通信ユニット５は、受信部６と、送信部７と、ＵＲＬアドレス記憶部３９と、制御部４０とを備えている。受信部６および送信部７は、図２の室内機２と共通している。
ＵＲＬアドレス記憶部３９は、サーバ３０のＵＲＬアドレスを記憶しており、送信部７に接続されている。
制御部４０は、通信ユニット５の内部の各構成要素（受信部６、送信部７、およびＵＲＬアドレス記憶部３９）の動作を制御する。
図１４に示される室内機２の場合、それぞれの室内機２に対応するＵＲＬアドレスをＵＲＬアドレス記憶部３９に記憶されているので、配信要求情報を室内機２に送信するだけで、ＵＲＬアドレス記憶部３９から、配信要求情報を受信した室内機２に対応するＵＲＬアドレスを確実に携帯電話４に取得することができる。そのため、複数の室内機２の機種が異なる場合でも、各機種に対応するＵＲＬアドレスを容易に取得することができる。取得したＵＲＬアドレスを用いて携帯電話４をサーバ３０に接続することにより、所望のソフトウェアが容易に入手される。この場合、ユーザは、ＵＲＬアドレスの入力作業が不要である。しかも、室内機２からＵＲＬアドレスのみを取得して、サーバ３０にあるソフトウェアを携帯電話４へダウンロードするので、ソフトウェアのバージョンアップなどがあった場合でも、サーバ３０にあるソフトウェアを更新するだけで済むという利便性を有する。一方、空調機本体にソフトウェアを記憶している場合には、それらに記憶されているソフトウェアを全て更新する必要があり、莫大な工数や作業が発生するが、上記の図１４に示される室内機２では、これらの莫大な工数や作業が発生しない。
【００８３】
また、図１４に示される室内機２は、サーバ３０から更新後のＵＲＬアドレスを受信するＵＲＬアドレス受信部をさらに備えていてもよい。この場合、サーバ３０からのＵＲＬアドレスの更新が可能になる。
さらに、図１４に示される室内機２は、サーバ３０からの受信（または現地に出向いたサービスマンの携帯端末からのダウンロードあるいは手による入力）によって、ＵＲＬアドレスが更新されていることを携帯電話４へ通知するＵＲＬアドレス更新通知手段をさらに備えていてもよい。この場合、携帯電話４から室内機２に操作信号を送信する際に、ＵＲＬアドレスのバージョン情報を送信し、室内機２側の制御部２９などでバージョンをチェックし、ＵＲＬアドレスの更新が必要な場合には、携帯電話４に更新が必要であることを通知する。更新の通知を受けたユーザは、再度、配信要求を送信してＵＲＬアドレスを取得し、サーバ３０にアクセスしてソフトウェアの更新を行えばよい。
さらに、図１４に示される室内機２は、更新後のＵＲＬアドレスを携帯電話４へ自動的に送信するＵＲＬアドレス自動送信手段をさらに備えていてもよく、この場合、ＵＲＬアドレスの更新があれば、ユーザからの配信要求がなくても、ユーザが携帯電話４を用いて室内機２を操作しているときなどに、自動的にＵＲＬアドレスの更新を行うことができる。
【００８４】
（Ｂ）
また、上記の変形例（Ａ）と同様に、図９および図１０に示されるコントローラ２６は、サーバ３０から更新後のＵＲＬアドレスを受信するＵＲＬアドレス受信部をさらに備えていてもよい。この場合、サーバ３０からのＵＲＬアドレスの更新が可能になる。
【００８５】
この場合も上記変形例（Ａ）と同様に、図２に示される室内機２は、サーバ３０からの受信（または現地に出向いたサービスマンの携帯端末からのダウンロードあるいは手による入力）によって、コントローラ２６のＵＲＬアドレス記憶部２７に格納されたＵＲＬアドレスが更新されていることを携帯電話４へ通知するＵＲＬアドレス更新通知手段をさらに備えていてもよい。この場合、携帯電話４から室内機２に操作信号を送信する際に、ＵＲＬアドレスのバージョン情報を送信し、室内機２側の制御部２９などでバージョンをチェックし、ＵＲＬアドレスの更新が必要な場合には、携帯電話４に更新が必要であることを通知する。更新の通知を受けたユーザは、再度、配信要求を送信してＵＲＬアドレスの更新を行えばよい。
【００８６】
さらに、図２に示される室内機２は、更新後のＵＲＬアドレスを携帯電話４へ自動的に送信するＵＲＬアドレス自動送信手段をさらに備えていてもよく、この場合、コントローラ２６のＵＲＬアドレス記憶部２７に格納されたＵＲＬアドレスの更新があれば、ユーザからの配信要求がなくても、ユーザが携帯電話４を用いて室内機２を操作しているときなどに、自動的にＵＲＬアドレスの更新を行うことができる。
（Ｃ）
第２実施形態の監視制御システム２５では、室内機２に配信要求情報を送信することにより、ＵＲＬアドレスを取得することができるが、本発明はこれに限定されるものではなく、ＵＲＬアドレス以外のアドレスであって、サーバ３０を特定できる他のアドレスを取得できるようにしてもよい。
（Ｄ）
第２実施形態では、携帯可能な操作手段として携帯電話４を例にあげて説明しているが、本発明はこれに限定されるものではなく、他の携帯可能な操作手段として、ＵＲＬアドレスを用いてサーバ３０にアクセスすることができるＰＤＡなどの情報携帯端末を用いてもよい。
【産業上の利用可能性】
【００８７】
本発明の制御対象機器およびその監視制御システムは、上記の実施形態のように、空気調和機の室内機を操作するために操作手段で用いられる操作用ソフトウェアのダウンロードのために採用され得るが、本発明はこれに限定されるものではない。さらに、本発明は、制御対象機器を遠隔操作する操作手段への操作用ソフトウェアのダウンロードであれば、あらゆる分野において採用され得る。例えば、家電機器の遠隔操作用のリモコンへの操作用ソフトウェアのダウンロードにも本発明は採用され得る。
【図面の簡単な説明】
【００８８】
【図１】本発明の第１実施形態に係わる監視制御システムの構成図。
【図２】図１の室内機の構成を示すブロック図。
【図３】図１の空調システム監視制御用コントローラの構成を示すブロック図。
【図４】図１の携帯電話の構成を示すブロック図。
【図５】本発明の第１実施形態に係わるソフトウェアのダウンロード方法の手順を示すフローチャート。
【図６】図１の携帯電話の表示部の表示例を示す図。
【図７】本発明の第１実施形態の変形例に係わる監視制御システムの構成図。
【図８】図７の室内機の構成を示すブロック図。
【図９】本発明の第２実施形態に係わる監視制御システムの構成図。
【図１０】図９の空調システム監視制御用コントローラの構成を示すブロック図。
【図１１】図９のサーバの構成を示すブロック図。
【図１２】本発明の第２実施形態に係わるＵＲＬアドレスの取得処理の手順を示すフローチャート。
【図１３】本発明の第２実施形態に係わるソフトウェアのダウンロード方法の手順を示すフローチャート。
【図１４】本発明の第２実施形態の変形例に係わる室内機の構成を示すブロック図。
【符号の説明】
【００８９】
１、２５  監視制御システム
２  室内機
３、２６  空調システム監視制御用コントローラ（コントローラ）
４  携帯電話
９、５１  記憶部
１０、３７  居室情報データベース
２７、３８  ＵＲＬアドレス記憶部
３４  ソフトウェア記憶部
【図１】
2006340060.tif 000003
【図２】
2006340060.tif 000004
【図３】
2006340060.tif 000005
【図４】
2006340060.tif 000006
【図５】
2006340060.tif 000007
【図６】
2006340060.tif 000008
【図７】
2006340060.tif 000009
【図８】
2006340060.tif 000010
【図９】
2006340060.tif 000011
【図１０】
2006340060.tif 000012
【図１１】
2006340060.tif 000013
【図１２】
2006340060.tif 000014
【図１３】
2006340060.tif 000015
【図１４】
2006340060.tif 000016